(57)【要約】      （修正有）【課題】照明を用いないで暗い場所で認識できる星座カードの提供。【解決手段】基板１０と基板の片面に形成された突起部とからなる立体星座カードであって、前記突起部が、星を表す円形突起部４と、星座の構成を表すために星と星との間を結ぶ突起した直線状突起部６と、星座および星の名称を表示する文字形状突起部８とを含む立体星座カードが提供される。この立体星座カードによれば、暗い所でも、指先で星座の位置を確認しながら、星空の観察を行うことが可能となる。【選択図】図１
0003135725.tif 000002
【実用新案登録請求の範囲】
【請求項１】
基板と基板の片面に形成された突起部とからなる立体星座カードにおいて、前記突起部が、星を表す円形突起部と、星座の構成を表すために星と星との間を結ぶ直線状突起部と、星座および星の名称を表示する文字形状突起部とを含むことを特徴とする立体星座カード。
【請求項２】
前記円形突起部が、球面を有することを特徴とする請求項１に記載された立体星座カード。
【請求項３】
前記円形突起部の高さ又は直径が、星の明るさに応じて変えられることを特徴とする請求項１または請求項２に記載された立体星座カード。
【請求項４】
基材層と発泡層とを有する発泡性シートの発泡層を選択的に発泡させて隆起させることにより前記突起が形成されていることを特徴とする請求項１から請求項３までのいずれか１項に記載された立体星座カード。
【請求項５】
請求項１から請求項４までのいずれか１項に記載された立体星座カードを含むことを特徴とする本。
【考案の詳細な説明】
【技術分野】
【０００１】
本考案は、夜空を観察するための星座カードに関するものである。
【背景技術】
【０００２】
星座は、夜空に観察される恒星をギリシア神話中の人物や動物・器具などに見立てて適当に結び付け、天球を区分したものである。観察可能な星座およびその位置は、暦、観察時刻、観察場所などにより変化する。所定の場所（例えば、東京）における、所定の季節、時刻に見られる星座を所定方向毎、或いは全天について図として描いたものが星座図である。
星座図は、背景を暗黒色にして、星を明るい色の小円で表す。小円の大きさは、その星の明るさに応じて変えられる。星座を表すために星は線で結ばれる。また、星座名が記載され、さらには、星座名に対応する人物や動物・器具などの絵を付したものもある。
星座図をカードに印刷した星座カードは、星空と星座図を対比しながら星空の観察を行うことができるものである。
【考案の開示】
【考案が解決しようとする課題】
【０００３】
従来の星座カードにより、星空の観察を行う場合、星を観察するためには、周囲に明かりのない暗い場所が適しているところ、暗い場所では星座図が見えないという問題があった。そのため、星座図を実際の星空と比較して、星座を観察しようとすると、照明により星座図を確認し、その後照明を消して夜空を見るという面倒な動作を繰り返す必要があった。
本考案は、このような問題を解決するために考案されたものである。  
【課題を解決するための手段】
【０００４】
本考案に係る立体星座カードは、基板と基板の片面に形成された突起部とからなり、突起部が、星を表す円形突起部と、星座の構成を表すために星と星の間を結ぶ直線状突起部と、星座および星の名称を表示する文字形状突起部とを含む。
星を表す円形突起部の表面は、球面とすることが好ましい。
星を表す円形突起部は、その星の明るさに応じて変えることが好ましい。例えば、一等星は、大きな突起高さ又は直径を有し、等級が大きくなるにしたがって、その高さ又は直径が小さくすることができる。
星座の名称を表示する文字形状突起部は、平仮名、片仮名、又はアルファベットの形状にでき、或いは、点字としても良い。
また、上記立体星座カードを製本して、本の一部あるいは全部の頁を本とすることもできる。
【０００５】
本考案に係る立体星座カードによれば、暗い所でも、指先で星座の位置を確認しながら、星空の観察を行うことが可能となる。視覚だけでなく触覚も使用して星座を確認するため、星座の位置が記憶に残りやすく、星座の学習にも利用できる。星座名も簡単に表示するため、立体星座カードにより十分に感じ取ることができる。
さらに、本考案に係る立体星座カードを用いると、星に対する楽しさが倍増する。
さらには、この星座カードは、目の不自由な人も利用でき、星空の配置を理解できる。
【実施例】
【０００６】
以下では、概略図面を参照して、本考案をより詳細に説明する。
【０００７】
図１に本考案に係る立体星座カードの一例の平面図を、図２には図１中の１部分（おとめ座）を拡大した模式図を示す。  
図１の立体星座カード２は、南天の星座を表したものであり、図の下辺が地平線（天の赤道）を表し、左端が東、右端が西方向を表しており、赤緯および赤経を示す線が引かれている。上端中央部には、天の北極が位置する。
【０００８】
図１および図２に示すとおり、基板１０上に、この天球上に観測される星が、円形突起体４として印刷されている。円形突起体４の表面は、球面になっている。星は星座を形成する恒星のみを記載してもよいが、図１では、惑星（木星）も記載されている。
星座を表すために星と星の間に直線状突起部６が形成されており、この直線状突起部６も突起して印刷される。直線状突起部６の断面は、円形、矩形、楕円径またはその他の形状にできる。星座名を表す平仮名または片仮名の文字も突起して印刷される（文字形状突起部８）。代表的な星の名称も突起して記載されている。星と線を区別するために、円形突起部４の突起高さを直線状突起部６の突起高さよりも大きくすることができ、あるいは、円形突起部４の径を直線状突起部６の突起部の幅よりも大きくすることもできる。星は明るい程、突起径または突起高さが大きくされており、スピカ、アルクトゥール、アンタレス等の明るい星は大きく突起されて印刷されている。
【０００９】
図１の立体星座カードの下側には、方向を表す文字（南、南東、南西など）が印刷されているがこれらの文字も突起させても良い。
【００１０】
上記の立体星座カードは、発泡性シートを用いた半立体画像作製法により作製できる。この方法は、例えば特開２００１−１５０８１２号公報に記載されている。この技術は、加熱により膨張する多数のマイクロカプセルを有する発泡性シートの表面に光吸収パターンを印刷して、この画像パターンに赤外線等を照射することにより、発泡カプセルを膨張させて、発泡性シート上に選択的に凹凸を生じさせ、それにより凹凸画像を形成するものである。
【００１１】
以下、図３を参照して本考案に係る立体星座カード２の作製方法を説明する。
基材層１４と基材層上に積層された発泡層１６とを有する発泡性シート１２を準備する。発泡層１６は、多数のマイクロカプセルと、これらのマイクロカプセルを覆う被覆部とを備えており、マイクロカプセルは、プロパンなどの低沸点気化性物質を塩化ビニルデン−アクリロニトリルなどの熱可塑性樹脂でカプセル化したものである。このマイクロカプセルは、所定の温度まで加熱されるとマイクロカプセル内の物質が気化して、マイクロカプセルが膨張する。
【００１２】
立体星座カードの基になる星座図をスキャナによりコンピュータに取り込み、形成すべき凹凸表面形状を決定し、それに基づき光吸収性パターン１８を決定する。光吸収性パターン１８は、光吸収性の低いパターンと、光吸収性の高いパターンとの組合せで構成されている。光吸収性の大小は、着色の濃淡（濃度）によって実現される。
基材層１４の下側の表面に、光吸収性パターン１８を示す薄層を印刷により形成する。光吸収性パターン１８に対して、赤外線等を照射すると、光吸収性パターン１８に吸収されて熱が発生し、その熱により、発泡層１６内のマイクロカプセルが膨張して、選択的に隆起部が生じる。光吸収性パターンの濃淡により熱の発生量に大小が生じ、それにより大きく隆起する部分と、隆起の小さい又は隆起しない部分が形成され、その隆起高さの相違により画像（吸収パターン）に対応した凹凸表面が形成される。
上記半立体画像は、例えばコニカミノルタ社製「立体プリンター」により作製することができる。
【００１３】
なお、上記の半立体画像作製法を用いると、星座図だけでなく、地図や各種の教科書も立体プリント化することが可能になる。例えば、平仮名、片仮名、数字、九九、その他の画像を立体的に盛り上がらせて印刷することができ、それらを指先で触り、触覚で確認して学習をする。このような学習では、視覚とともに触覚により学習するために、学習効果を上げることができる。
【００１４】
以上述べたように、本考案による立体星座カードの構成を一例として説明したが、この構成に限定されるものではなく、請求の範囲から離脱することなく種々の変更が可能であることは言うまでもない。
【図面の簡単な説明】
【００１５】
【図１】本考案に係る立体星座カードの一例の正面図。
【図２】本考案に係る立体星座カードの一例の一部の模式図。
【図３】本考案に係る立体星座カードの断面模式図
【符号の説明】
【００１６】
２  立体星座カード
４  星を表す円形突起部
６  直線状突起部
８  文字形状突起部
１０  基板
１２  発泡性シート
１４  基材層
１６  発泡層
１８  光吸収パターン
【図１】
0003135725.tif 000003
【図２】
0003135725.tif 000004
【図３】
0003135725.tif 000005